(57)【要約】      （修正有）【課題】培養液に入った細胞等試料の、高倍率による顕微鏡観察を可能とする顕微鏡観察用培養装置とそれに使用する容器用アタッチメントの提供。【解決手段】培養液に対して上方から下方に向けて熱を伝達させる。容器用アタッチメント４５は、収容ユニットの下側開口部４９に嵌め込まれる、平らな底面を有するガイドベース部４７と、そこに形成された開口部４９と、開口部４９の口縁に沿って設けられ、余の底面より一段高くなった段差部と、ガイドベース部４７上で開口部４９を挟んで対向した一対の圧接部６９、７９とを備えたものとする。培養容器のスライドガラスプレートＳを下側から入り込ませて、段差部にスライドガラスプレートＳの段差部を当接させて、プレートの底面とガイドベース部４７の底面とを略フラットにした上で、圧接部６９、７９で圧接挟持させる。対物レンズをプレートの隅でも十分に近づけて高倍率で観察できる。【選択図】図４
2014095786.tif 000002
【特許請求の範囲】
【請求項１】
顕微鏡観察用培養装置の収容ユニットに容器を収容するのに使用する容器用アタッチメントであって、
前記収容ユニットの下側開口部に嵌め込まれる、平らな底面を有するガイドベース部と、前記ガイドベース部に形成された開口部と、前記開口部の口縁に沿って設けられ、その余の底面より一段高くなった段差部と、前記ガイドベース部上で前記開口部を挟んで対向した一対の圧接部と、前記圧接部の少なくとも一方を対向する他方の圧接部に対して近接離間方向への往復移動可能に支持する圧接部支持手段と、近接離間移動可能な圧接部を任意の位置で固定する圧接部固定手段とを備え、
容器を前記ガイドベース部の開口部に底面側から入り込ませて、その容器の外方フランジ部の上面を前記段差部の段差面に当接させると共に、その容器を前記一対の圧接部で側方から圧接挟持させることでその容器を装着させることを特徴とする容器用アタッチメント。
【請求項２】
請求項１に記載した容器用アタッチメントにおいて、
圧接部支持手段は、圧接部の下面から下方に突出した突起部と、ガイドベース部側に設けられ、近接離間方向に長く延びた貫通孔とを含み、前記圧接部の下面が前記ガイドベース部上を摺動するときに、前記突起部が前記貫通孔内で摺動することを特徴とする容器用アタッチメント。
【請求項３】
請求項２に記載した容器用アタッチメントにおいて、
突起部には大径部が設けられ、ガイドベース部の貫通孔の近接離間方向側の口縁には内方に延出する内方フランジ部が設けられており、前記突起部の大径部上に前記内方フランジ部が被さって抜け止めされていることを特徴とする容器用アタッチメント。
【請求項４】
請求項１から３のいずれかに記載した容器用アタッチメントにおいて、
圧接部固定手段は、圧接部を近接方向に弾性的に付勢するように構成していることを特徴とする容器用アタッチメント。
【請求項５】
請求項４に記載した容器用アタッチメントにおいて、
圧接部固定手段は、圧接部に先端部が当接するプランジャと、前記プランジャを近接離間方向に往復移動可能に保持するプランジャ保持部と、前記プランジャを相方の圧接部に向けて付勢するバネとで構成されていることを特徴とする容器用アタッチメント。
【請求項６】
請求項１から５のいずれかに記載した容器用アタッチメントにおいて、
圧接部の圧接面は開口部に沿って幅を持っており、一対の互いに離間した圧接部支持手段によって支持されていることを特徴とする容器用アタッチメント。
【請求項７】
請求項１から６のいずれかに記載した容器用アタッチメントにおいて、
圧接部の一方のみが移動可能になっていることを特徴とする容器用アタッチメント。
【請求項８】
請求項1から７のいずれかに記載した容器用アタッチメントにおいて、
ガイドベース部に、さらに貫通した液体供給口と、前記液体供給口を上側から閉鎖する蓋体を設けたことを特徴とする容器用アタッチメント。
【請求項９】
請求項８に記載した容器用アタッチメントにおいて、
液体供給口は、上方から見て、観察に使用する対物レンズのレンズ部が開口部の観察可能範囲に収まるよう位置決めされたときに、前記レンズ部のレボルバの回転によって描かれる回転軌跡と重なるよう、前記開口部に対して相関設計されていることを特徴とする容器用アタッチメント。
【請求項１０】
請求項８または９に記載した容器用アタッチメントにおいて、
圧接部の一方のみが移動可能になっており、液体供給口は固定側の圧接部の外方に設けられていることを特徴とする容器用アタッチメント。
【請求項１１】
請求項１から１０のいずれかに記載した容器用アタッチメントにおいて、
ガイドベース部の下面が使用予定の容器の底面と略面一になるように寸法設定されていることを特徴とする容器用アタッチメント。
【請求項１２】
請求項１から１１のいずれかに記載した容器用アタッチメントにおいて、
ガイドベース部上に圧接部を囲んで水槽部を設けるスペースと、前記水槽部を着脱自在に固定する水槽部固定手段とを備えることを特徴とする容器用アタッチメント。
【請求項１３】
収容ユニットの蓋体のうち観察範囲に対応する部分に透明面状トップヒーターが設けられ、容器内に検知部を入りこませた温度検知手段からの温度情報に基づいて前記トップヒーターを温度制御して収容ユニット内の空間を所定の温度または温度範囲に維持するタイプの温度制御装置に、請求項１から１２のいずれかに記載の容器用アタッチメントを着脱自在に備えさせたことを特徴とする顕微鏡観察用培養装置。
【請求項１４】
請求項１３に記載の顕微鏡観察用培養装置において、
容器用アタッチメントと容器とを任意に着脱自在に備えさせる容器保持機構を備えることを特徴とする顕微鏡観察用培養装置。
【発明の詳細な説明】
【技術分野】
【０００１】
本発明は、細胞等の試料を顕微鏡観察するのに用いる顕微鏡観察用培養装置と、前記装置に培養容器を装着する際に使用する容器用アタッチメントに関するものである。
【背景技術】
【０００２】
この種の顕微鏡観察用培養装置として典型的なものは、特許文献１に示すものである。
ところで、図２１に示すように、この顕微鏡観察用培養装置２０1は、顕微鏡ステージに設置して使用するようになっており、収容ユニット２０３とその上側開口を閉鎖する蓋体２０５とで本体が構成されている。通常、収容ユニット２０３内にはその内側縁側に沿って水槽部２０7が設けられ、それより内方が培養容器の収容空間となっている。この収容空間に、培養容器であるディッシュＤを容器用アタッチメント２０９に上側から嵌め込んで装着した状態で収容される。
ディッシュＤに入れた培養液は、試料である細胞等を観察に適した条件下で保持するために、一定、例えば３７℃程度に維持される必要がある。そのため、従来は、容器用アタッチメント２０９に発熱または熱伝達作用を持たせ、そこからディッシュＤに熱を伝えて、その中の培養液を加温していた。また、温度センサー２１１を蓋体２０５側に配して、その温度情報を基に、温度制御していた。
【先行技術文献】
【特許文献】
【０００３】
【特許文献１】特開２００８−２５９４３０号公報
【発明の概要】
【発明が解決しようとする課題】
【０００４】
而して、最近では、顕微鏡観察を高倍率で行うため、倒立型顕微鏡を利用した場合には対物レンズを収容ユニット２０３の下面に従来よりも接近させる傾向があるが、上記したように容器用アタッチメント２０９が介装されていると、容器用アタッチメント２０９の縁近傍では、その縁が邪魔となって接近がままならなくなる。
また、容器用アタッチメント２０９からディッシュＤの壁を介して培養液を加温しようとすると、ディッシュＤ内でも容器用アタッチメント２０９からの距離に差が出て温度勾配が生じてしまう。特に、培養容器がスライドガラスプレートのように複数のウェルで区分けされている場合には、培養液の対流も期待できず、温度勾配はより大きくなる。
【０００５】
さらに、培養液の温度を検知するには、温度検知部を培養液に浸して直接検知できれば最も正確に検知できるが、温度勾配のでき方は培養容器全体の大きさや容器の種類（スライドガラスプレートやディッシュなど）、容器の構成材料、培養液の種類等により様々なので、上記のように、温度勾配を気にするような高精度での観察をする場合には、温度検知部を中央部にもってくることになり、観察箇所が狭まることから、そのような検知は現実的ではない。
【０００６】
それ故、本発明は、上記種々の問題を解決して、高倍率での培養容器の効率的な観察を可能とする顕微鏡観察用培養装置を提供することを、その目的とする。
また、本発明は、上記した顕微鏡観察用培養装置に、附属品として使用するのに適した容器用アタッチメントを提供することを、その目的とする。
【課題を解決するための手段】
【０００７】
本発明は、上記課題を解決するものであり、請求項１の発明は、顕微鏡観察用培養装置の収容ユニットに容器を収容するのに使用する容器用アタッチメントであって、前記収容ユニットの下側開口部に嵌め込まれる、平らな底面を有するガイドベース部と、前記ガイドベース部に形成された開口部と、前記開口部の口縁に沿って設けられ、その余の底面より一段高くなった段差部と、前記ガイドベース部上で前記開口部を挟んで対向した一対の圧接部と、前記圧接部の少なくとも一方を対向する他方の圧接部に対して近接離間方向への往復移動可能に支持する圧接部支持手段と、近接離間移動可能な圧接部を任意の位置で固定する圧接部固定手段とを備え、容器を前記ガイドベース部の開口部に底面側から入り込ませて、その容器の外方フランジ部の上面を前記段差部の段差面に当接させると共に、その容器を前記一対の圧接部で側方から圧接挟持させることでその容器を装着させることを特徴とする容器用アタッチメントである。
【０００８】
請求項２の発明は、請求項１に記載した容器用アタッチメントにおいて、圧接部支持手段は、圧接部の下面から下方に突出した突起部と、ガイドベース部側に設けられ、近接離間方向に長く延びた貫通孔とを含み、前記圧接部の下面が前記ガイドベース部上を摺動するときに、前記突起部が前記貫通孔内で摺動することを特徴とする容器用アタッチメントである。
【０００９】
請求項３の発明は、請求項２に記載した容器用アタッチメントにおいて、突起部には大径部が設けられ、ガイドベース部の貫通孔の近接離間方向側の口縁には内方に延出する内方フランジ部が設けられており、前記突起部の大径部上に前記内方フランジ部が被さって抜け止めされていることを特徴とする容器用アタッチメントである。
【００１０】
請求項４の発明は、請求項１から３のいずれかに記載した容器用アタッチメントにおいて、圧接部固定手段は、圧接部を近接方向に弾性的に付勢するように構成していることを特徴とする容器用アタッチメントである。
【００１１】
請求項５の発明は、請求項４に記載した容器用アタッチメントにおいて、圧接部固定手段は、圧接部に先端部が当接するプランジャと、前記プランジャを近接離間方向に往復移動可能に保持するプランジャ保持部と、前記プランジャを相方の圧接部に向けて付勢するバネとで構成されていることを特徴とする容器用アタッチメントである。
【００１２】
請求項６の発明は、請求項１から５のいずれかに記載した容器用アタッチメントにおいて、圧接部の圧接面は開口部に沿って幅を持っており、一対の互いに離間した圧接部支持手段によって支持されていることを特徴とする容器用アタッチメントである。
【００１３】
請求項７の発明は、請求項１から６のいずれかに記載した容器用アタッチメントにおいて、圧接部の一方のみが移動可能になっていることを特徴とする容器用アタッチメントである。
【００１４】
請求項８の発明は、請求項1から７のいずれかに記載した容器用アタッチメントにおいて、ガイドベース部に、さらに貫通した液体供給口と、前記液体供給口を上側から閉鎖する蓋体を設けたことを特徴とする容器用アタッチメントである。
【００１５】
請求項９の発明は、請求項８に記載した容器用アタッチメントにおいて、液体供給口は、上方から見て、観察に使用する対物レンズのレンズ部が開口部の観察可能範囲に収まるよう位置決めされたときに、前記レンズ部のレボルバの回転によって描かれる回転軌跡と重なるよう、前記開口部に対して相関設計されていることを特徴とする容器用アタッチメントである。
【００１６】
請求項１０の発明は、請求項８または９に記載した容器用アタッチメントにおいて、圧接部の一方のみが移動可能になっており、液体供給口は固定側の圧接部の外方に設けられていることを特徴とする容器用アタッチメントである。
【００１７】
請求項１１の発明は、請求項１から１０のいずれかに記載した容器用アタッチメントにおいて、ガイドベース部の底面が使用予定の容器の底面と略面一になるように寸法設定されていることを特徴とする容器用アタッチメントである。
【００１８】
請求項１２の発明は、請求項１から１１のいずれかに記載した容器用アタッチメントにおいて、ガイドベース部上に圧接部を囲んで水槽部を設けるスペースと、前記水槽部を着脱自在に固定する水槽部固定手段とを備えることを特徴とする容器用アタッチメントである。
【００１９】
請求項１３の発明は、収容ユニットの蓋体のうち観察範囲に対応する部分に透明面状トップヒーターが設けられ、容器内に検知部を入りこませた温度検知手段からの温度情報に基づいて前記トップヒーターを温度制御して収容ユニット内の空間を所定の温度または温度範囲に維持するタイプの温度制御装置に、請求項１から１２のいずれかに記載の容器用アタッチメントを着脱自在に備えさせたことを特徴とする顕微鏡観察用培養装置である。
【００２０】
請求項１４の発明は、請求項１３に記載の顕微鏡観察用培養装置において、容器用アタッチメントと容器とを任意に着脱自在に備えさせる容器保持機構を備えることを特徴とする顕微鏡観察用培養装置である。
【発明の効果】
【００２１】
本発明の顕微鏡観察用培養装置によれば、高倍率による顕微鏡観察の効率的な実施が可能となる。
【図面の簡単な説明】
【００２２】
【図１】本発明の実施の形態に係る顕微鏡観察用培養装置の分解斜視図である。
【図２】図１の顕微鏡観察用培養装置の上方から見た斜視図である。
【図３】図１の顕微鏡観察用培養装置の下方から見た斜視図である。
【図４】図１の顕微鏡観察用培養装置の容器用アタッチメントとスライドガラスプレートの分解斜視図である。
【図５】図４の容器用アタッチメントにスライドガラスプレートを装着した状態を上方から見た斜視図である。
【図６】図４の容器用アタッチメントにスライドガラスプレートを装着した状態を下方から見た斜視図である。
【図７】図４の容器用アタッチメントにスライドガラスプレートを装着した状態を示す上面図である。
【図８】図７のＡ−Ａ断面図である。
【図９】図７のＢ−Ｂ断面図である。
【図１０】図７のＧ−Ｇ断面図である。
【図１１】図４の容器用アタッチメントに水槽部を装着した状態を示す斜視図である。
【図１２】図４の容器用アタッチメントとスライドガラスプレートとの寸法関係の説明図である。
【図１３】図４の容器用アタッチメントの改変例の容器用アタッチメントとディッシュとの寸法関係の説明図である。
【図１４】図４とは別の容器用アタッチメントから蓋体を分離した状態を示す斜視図である。
【図１５】図１４の容器用アタッチメントを蓋体で閉鎖した状態を上方から示す斜視図である。
【図１６】図１４の容器用アタッチメントにスライドガラスプレートを装着した状態を示す上面図である。
【図１７】図１６のＡ−Ａ断面図である。
【図１８】図１６のＢ−Ｂ断面図である。
【図１９】図１４の容器用アタッチメントの使用方法の説明図である。
【図２０】図１４の容器用アタッチメントの開口部と液体供給口との相関関係を説明する図である。
【図２１】従来の容器用アタッチメントの分解斜視図である。
【発明を実施するための形態】
【００２３】
本発明の実施の形態に係る顕微鏡観察用培養装置１を図１から図１１にしたがって説明する。
顕微鏡観察用培養装置１は、収容ユニット３、蓋体３７、容器用アタッチメント４５等によって構成されている。
先ず、収容ユニット３の構造について説明する。
図１において符号５はほぼ長方形の枠状に形成された本体部を示し、この本体部５には上端側開口７と下面側開口９とがそれぞれ形成されている。図１に示すように、下面側開口９側には内方フランジ１１が形成されており、下面側開口９は上端側開口７より小さくなっている。
【００２４】
本体部５の下面側開口９の縁にはアダプター１３の側面が嵌り込んで固定されている。このアダプター１３もほぼ長方形の枠状に形成されており、その下端側開口１５側には内方フランジ１７が形成されている。符号１９は押えバネを示し、この押えバネ１９の基端部がアダプター１３の上端面の四カ所にそれぞれ連結されて、アダプター１３内で回動自在になっている。このアダプター１３は、容器用アタッチメント４５や図示しないウェルプレートを装着させる容器保持機構になっており、どちらでも装着できるようになっている。この機構によれば、容器用アタッチメント４５等は着脱自在に嵌め込まれ、嵌め込まれると上記した押えバネ１９の弾性力により安定的に固定される。
【００２５】
本体部５の内側面とアダプター１３の外側面と本体部５の内方フランジ１１の上面との間で画定される凹状の空間が水槽２１としての機能を担わされている。
本体部５には、水供給用ホース２３と、ガス供給用ホース２５が取り付けられており、それぞれの先端は水槽２１内に入り込み、ガス供給用ホース２５の先端はその底面付近まで延びている。
【００２６】
これらの間には、温度検知手段２７の細線状の熱電対型検知部２９用に、収容部内導入手段としての検知部ホルダー３１が設けられている。この検知部ホルダー３１は押えネジ３３、３３の間に挟まれて固定されており、検知部２９が本体部５に導入されており、本体部５内への導入長さを調整することができるようになっている。検知部２９は折り曲げ可能になっており、検知中は培養容器に入れた培養液に浸す。また、本体部５には、一対の灌流用ホースの取付用ホルダー３５も備えられており、灌流培養も可能となっている。
【００２７】
上記した構造の収容ユニット３に相対して、その上端側開口７を閉鎖するよう蓋体３７が設けられている。
この蓋体３７はほぼ長方形を為しており、その枠体３９が長方形の透明な透光部４１を保持している。この透光部４１には２枚の透明ガラス板が隙間をあけて配置されており、下側の透明ガラス板の上面には透明導電膜が形成されている。この透明導電膜に電気コード４３を介して通電することにより発熱させて、透明面状トップヒーターとしての機能を担わせている。
【００２８】
上記した蓋体３７側の電気コード４３と、温度検知手段２７は、いずれもコントローラ（図示省略）に接続されており、コントローラは温度検知手段２７からの温度情報と目標温度に基づいてフィードバック方式により透明導電膜への通電量を調整するようになっている。
【００２９】
上記した構成の収容ユニット３に、培養容器としてのスライドガラスプレートＳを容器用アタッチメント４５を利用して収容するようになっている。図４から図１１にしたがって、この容器用アタッチメント４５の構成を詳細に説明する。
なお、説明の便宜のために、図４でスライドガラスプレートＳの開口した側を上方として、上下方向を規定する。
図４に示すように、容器用アタッチメント４５のガイドベース部４７は矩形の薄板状を為しており、中央部に矩形の開口部４９が外側の矩形縁と略相似状に形成されている。この開口部４９の口縁の全周に沿って、図８に示すように、段差部５１が形成されており、その余の底面より一段高くなっている。この段差部５１には一つの短辺側だけ浅い凹部５３が形成されている。
【００３０】
開口部４９の上面では、対向する長縁側で取付用凹部５５、５９がそれぞれ形成されている。取付用凹部５５側には、２個のネジ孔５７、５７が互いに距離をあけて形成されている。
取付用凹部５９側には２個の貫通孔６１が互いに距離をあけて形成されている。この貫通孔６１はガイドベース部４７の長辺と垂直を為す方向に長くなっている。図９に示すように、貫通孔６１には上端側に内方フランジ６３が形成されており、この内方フランジ６３により開口がその余の部分より狭められている。内方フランジ６３は貫通孔６１から均等に内方に延出しており、内方フランジ６３の延出縁は貫通孔６１の孔縁と相似形になっている。
長辺側の二隅にはそれぞれ固定孔６５、６５が形成されている。
ガイドベース部４７の四隅には、それぞれ孔が開けられ、そこにシリコーン系接着剤を介してマグネット６７が嵌め込まれ接着されている。
【００３１】
このガイドベース部４７上に一対の圧接部が設けられている。
符号６９は受け側圧接部であり、板棒状をしている。この受け側圧接部６９には、２個の貫通孔７１、７１が互いに距離をあけて形成されている。受け側圧接部６９は、取付用凹部５５に嵌め込まれて位置決めされており、図４に示すように、雄ネジ７３が、頭部を上側にして、この貫通孔７１に通され、取付用凹部５５のネジ孔５７に挿入され螺合されることで、受け側圧接部６９がその下面をガイドベース部４７の上面に当接した状態で固定される。固定状態では、横長に延びた板面（圧接面）７５が開口部４９の口縁上にある。この圧接面７５にはシリコーン系接着剤を介してシリコーンシート７７が貼り付けられている。
【００３２】
符号７９は押え側圧接部であり、この押え側圧接部７９では矩形の本体部８１の一長辺側に細板状の矩形の押え部８３が一体に形成されている。この押え部８３の両端側は本体部８１の両横側から均等に延出している。この押え部８３には段差が設けられ、下部側が突出している。この突出した側が板面（圧接面）８５になっている。この圧接面にも、シリコーン系接着剤を介してシリコーンシート７７が貼り付けられている。また、本体部８１の上には摘み部８７が設けられている。
押え側圧接部７９は、取付用凹部５９の開口部４９側に寄せられ嵌め込まれて位置決めされており、その下面は取付用凹部５９の上面に当接している。そして、圧接面８５が開口部４９の口縁上にある。
押え側圧接部７９の圧接面８５と上記した受け側圧接部６９の圧接面７５は略同じ大きさに設定されており、ガイドベース部４７上で開口部４９を挟んで対向配置されている。
【００３３】
押え側圧接部７９の下面側には、図９に示すように、２個のネジ孔８９、８９が互いに距離をあけて形成されており、上記した配置状態では、ネジ孔８９が取付用凹部５９の貫通孔６１と連通している。
突起部としての雄ネジ９１が、図６に示すように、大径の頭部を下側にして、取付用凹部５９の長い貫通孔６１を通され、押え側圧接部７９のネジ孔８９に挿入され螺合される。このとき、雄ネジ９１の頭部９３は貫通孔６１に入り込んでおり、頭部９３に形成された段差部の段差面９３Ａが貫通孔６１の内方フランジ６３の下面より僅かに下方にある。
【００３４】
内方フランジ６３の間の隙間は、雄ネジ９１の頭部９３の段差部より大きくなっており、図７に示すように、段差面９３Ｂが内方フランジ６３の縁に当接する範囲で矢印に示す方向に移動できる。この矢印に示す方向が、受け側圧接部６９への近接離間方向になっている。
押え側圧接部７９は雄ネジ９１と一体に動くようになっており、押え側圧接部７９をその摘み部８７を指で摘んで近接離間方向に引くと、雄ネジ９１の可動範囲で、その下面がガイドベース部４７の上面を摺動しながら、相方の受け側圧接部６９に対して近接離間する。
【００３５】
雄ネジ９１の頭部９３の段差面９３Ａには、内方フランジ６３のうち近接離間方向と直交する方向側が常に上方から被さっており、抜け止めされている。
圧接部支持手段は、上記したように構成されており、押え側圧接部７９が受け側圧接部６９に対して近接離間方向に往復移動可能に支持されている。圧接面８５は開口部４９に沿って横方向に幅を持っているが、一対の互いに離間した圧接部支持手段によって支持されており、押え側圧接部７９はスムーズな移動が可能となっている。
雄ネジ９１は貫通孔６１内に収まっており、邪魔な突起にはなっていない。
【００３６】
押え側圧接部７９側には、固定部９５が設けられている。この固定部９５は「コ」の字状を為しており、中央部には大きな囲み部９７がある。固定部９５は、押え側圧接部７９の矩形状の本体部８１を横側から囲むように配される。
図１０に示すように、この囲み部９７を挟んだ両側はそれぞれ穴が開けられて、筒状のプランジャ保持部９９が嵌め込まれている。各プランジャ保持部９９は、押え部８３側に開口し、近接離間方向に長く延びている。
【００３７】
各プランジャ保持部９９にはコイルバネ（圧縮バネ）１０１が収められており、プランジャ保持部９９の底側にある一端は遊端になっている。符号１０３はプランジャを示し、このプランジャ１０３の基端が上記したコイルバネ１０１の他端に連結されている。各プランジャ１０３の先端は上記した押え部８３の延出した部分の背面にシリコーン系接着剤を介して接着されている。
押え側圧接部７９の可動範囲では、コイルバネ１０１は常に押え側圧接部７９を受け側圧接部６９に近接させる方向に付勢されている。プランジャ１０３の基端側は常にプランジャ保持部９９に収容されガイドされており、直進姿勢が保持されている。
【００３８】
図１０に示すように、固定部９５には２個のネジ孔１０５、１０５が互いに離間して設けられており、固定部９５が取付用凹部５９の外縁側に寄せられ嵌め込まれて位置決めされると、各ネジ孔１０５はガイドベース部４７の固定孔６５と連通する。
雄ネジ１０７を、頭部を下側にして、固定孔６５に通され、固定部９５のネジ孔１０５に挿入され螺合されることで、固定部９５の下面がガイドベース部４７の上面に当接した状態で固定される。
雄ネジ１０７は固定孔６５内に収まっており、邪魔な突起にはなっていない。
【００３９】
容器用アタッチメント４５は上記した構成になっており、以下でスライドガラスプレートＳの装着方法を説明する。
スライドガラスプレートＳは、市販されている一般的なもので、ベース部aが矩形でガイドベース部４７の開口部４９に略相似した形状になっている。このベース部aの上面の縁より僅かではあるがその内方から４つの側部ｂが立ち上がっており、ベース部ａの縁側には段差部ｃが形成されている。また、一方の短辺側にはフラップｄが連設されている。このフラップｄの上面には商品識別用の文字が浮き上がった状態で一体に形成されている。
【００４０】
先ず、摘み部８７を指で挟んで離間方向に押して、コイルバネ１０１のバネ力に抗して押え側圧接部７９を移動させてガイドベース部４７の開口部４９を全開とする。そして、この状態で、スライドガラスプレートＳに対してガイドベース部４７を上方から降ろしてその開口部４９にスライドガラスプレートＳを入り込ませると、スライドガラスプレートＳの段差部ｃの上面がガイドベース部４７の段差部５１の下面に当接して、スライドガラスプレートＳの底面とガイドベース部４７の底面が略面一となる。この段階では、スライドガラスプレートＳの側部ｂと、段差部５１の側面との間には僅かな隙間が空いているので、遊嵌状態となっている。なお、フラップｄ上には凹部５３が相対しており、その部分に上記したように文字が浮き上がっていても、ガイドベース部４７を持ち上げたりはしていない。
次に、摘み部８７へ掛けていた力を弱めると、押え側圧接部７９が付勢方向である近接方向に移動して、スライドガラスプレートＳがその押え部８３の圧接面８５と、受け側圧接部６９の圧接面７５との間で圧接挟持される。これにより、スライドガラスプレートＳが容器用アタッチメント４５に装着される。
なお、圧接面７５、８５にはそれぞれ緩衝用にシリコーンシート７７が張り付けられており、スライドガラスプレートＳに直接触れるのはこのシリコーンシート７７になるので傷つき難くなっている。
【００４１】
スライドガラスプレートＳを取り外す場合には、摘み部８７を指で挟んで離間方向に押して、コイルバネ１０１のバネ力に抗して押え側圧接部７９を移動させてガイドベース部４７の開口部４９を全開とする。そして、この状態で、スライドガラスプレートＳに対してガイドベース部４７を上方に持ち上げて分離することになる。
【００４２】
図２、図３は、容器用アタッチメント４５にスライドガラスプレートＳを装着した上で、収容ユニット３に収容し、蓋体３７で閉塞した状態を示している。
通常は、収容ユニット３に容器用アタッチメント４５を嵌め込んでおき、スライドガラスプレートＳをその容器用アタッチメント４５に装着する。
蓋体３７で閉鎖して培養空間を画定した後に、ガス供給用ホース２５から炭酸ガス（ＣＯ２）を供給し、水供給用ホース２３から水槽２１へ水を供給する。また、電気コード４３を介して透光部４１の透明導電膜に通電し発熱させることで、スライドガラスプレートＳに入った培養液を上方から加温する。なお、図示は省略しているが、水槽２１の底部側にもヒーターが設置されており、このヒーターの加熱により水槽２１内の水を蒸発させて培養空間内を所望の湿度にする。上記したガス供給用ホース２５や水供給用ホース２３やヒーターもコントローラの制御下にあり、培養空間が一定のものに維持されることになる。
【００４３】
この顕微鏡観察用培養装置１では、培養液は上方から空気を介して加温されるので、スライドガラスプレートＳのどのウェルｗに入ったものでも熱源からの距離は等しくなり、収容ユニット３の中央に位置するものであろうとも隅に位置するものであろうとも、均等に加温される。従って、温度検知手段２７の検知部２９を隅のウェルｗに入れた培養液に浸して検知することで全てのウェルｗに入れた培養液の温度を正確に検知でき、その他のウェルｗは全て顕微鏡観察用に利用できる。
また、スライドガラスプレートＳの隅にあるウェルｗには容器用アタッチメント４５の開口部４９の縁が接近するが、スライドガラスプレートＳの底面と容器用アタッチメント４５のガイドベース部４７の底面は上記したように略フラットで段差が殆ど形成されてないので、その隅のウェルｗにも対物レンズを十分に近づけることができる。
従って、顕微鏡観察用培養装置１を用いれば、高倍率による顕微鏡観察の効率的な実施を実現できる。
【００４４】
この容器用アタッチメント４５には水槽部１０９を装着することもできる。図１１に示すように、水槽部１０９は「コ」の字形をしており、ガイドベース部４７上で、受け側圧接部６９、押え側圧接部７９、固定部９５を囲むように装着される。水槽部１０９の四隅の下面には、凹部がそれぞれ形成され、そこに磁性片（図示省略）が挿入されシリコーン接着剤を介して接着されている。この磁性片は水槽部１０９の下面と面一になっている。
図１１に示すように、水槽部１０９をガイドベース部４７上に載せると、この磁性片がガイドベース部４７の四隅に嵌め込まれたマグネット６７と相対するようになっており、磁石作用により磁性片が吸着されて、水槽部１０９がガイドベース部４７上に固定される。
【００４５】
スライドガラスプレートＳは、ガイドベース部４７に入り込ませ易くするために、上記したように、僅かに隙間を持たせて遊嵌状態にしているが、スライドガラスプレートＳは寸法上の許容範囲に若干幅が持たされており、図１２で示すガイドベース部４７に対してスライドガラスプレートＳが以下の関係を満たすものであればいずれのものでも略底面フラットで装着できる。従って、市販品の規格差や寸法誤差に対して有る程度までは対応できる。
【数１】
2014095786.tif 000003
【００４６】
容器用アタッチメント４５は、矩形の培養容器を被装着物として想定しているが、ガイドベース部４７の開口部４９の形状を円状の開口部１１３に変更し、圧接面を円弧状にすれば、丸型のディッシュを被装着物とすることもできる。
この場合でも、図１３で示すガイドベース部４７に対してディッシュＤが以下の関係を満たすものであればいずれのものでも略底面フラットで装着できる。従って、市販品の規格差や寸法誤差に対して有る程度までは対応できる。
【数２】
2014095786.tif 000004
【００４７】
次に、別例の容器用アタッチメント１１１について、図１４から図２０にしたがって説明する。
なお、容器用アタッチメント４５と主な部分は共通しており、共通部分は同じ符号を付すことで説明を省略する。
図１４、図１５に示すように、この容器用アタッチメント１１１にも、開口部４９を挟んで受け側圧接部６９と押え側圧接部７９が設けられている。そして、受け側圧接部６９を囲むように、その外方に液体供給口１１３が形成されている。この液体供給口１１３はガイドベース部４７を上下方向に貫通している。液体供給口１１３の口縁には段差部１１５が形成されており、ガイドベース部４７の上面側では上面により一段低くなっている。
符号１１７は蓋体を示し、この蓋体１１７の上面には摘み部１１９が取り付けられている。蓋体１１７は上記した段差部１１５に嵌め込まれて、液体供給口１１３を閉鎖する。
液体供給口１１３の範囲は、図１７、図１８に示すように、方向によって異なっている。
【００４８】
顕微鏡観察時において、高倍率（６０〜１００倍程度）の対物レンズを使用する際には油浸観察や水浸観察を行う場合が多い。
油浸観察や水浸観察を行う場合には、先ず低倍率（１０〜２９倍程度）の対物レンズを観察位置にもってきて、その対物レンズの光軸上に観察したいものがくるように顕微鏡観察用培養装置１を位置決めする。そして、その後に、レボルバを回転して、その低倍率の対物レンズが有ったところに高倍率の対物レンズをもってくるが、その高倍率の対物レンズを観察位置にもってくる前に、その先端のレンズ部に、専用のオイルや水を専用のスポイトのようなもので数滴ほど供給し、その対物レンズが観察位置に移動し終えたときに、供給されたオイルや水でスライドガラスプレートＳの底面とレンズ部との間が満たされるようになっている。
その場合に、容器用アタッチメント４５を使用すると、容器用アタッチメント４５を装置本体から取り外してその開口１５を開放してそこからオイル等を供給することになるが、容器用アタッチメント４５の取り外し及び再装着により、スライドガラスプレートＳのウェルｗに入れた細胞等の試料がウェルｗ内で僅かであっても動いてずれる恐れがある。高倍率の観察ではその僅かなズレでも有意的な問題となる。
【００４９】
それに対して、容器用アタッチメント１１１には液体供給口１１３が設けられており、図１９に示すように、そこを通してオイル等を高倍率の対物レンズのレンズ部Ｌの上に滴下して供給でき、レボルバＲを回転させれば、レンズ部Ｌ上に供給されたオイル等を保持させながら、その対物レンズを観察位置までもってこれる。上記供給の短い間だけ解放し、その後は蓋体１１７で閉鎖すれば、培養空間は所定の雰囲気に維持されるので、培養雰囲気が壊れることも無い。
これを可能とするために、具体的には、図２０に示すように、液体供給口１１３の段差部１１５を除いた全面開口部は、上方から見て、観察に使用する対物レンズのレンズ部Ｌが開口部４９の観察可能範囲（中央、左上、左下、右上、右下）に収まるよう位置決めされたときに、そのレンズ部ＬのレボルバＲの回転によって描かれる円状の回転軌跡（点線）と重なるよう、開口部４９に対して相関設計されている。
【００５０】
従って、観察可能範囲内で観察位置を変更しても、対物レンズのレンズ部Ｌの軌跡は常に液体供給口１１３を横切るので、液体供給口１１３からオイル等を滴下して供給した上で所定の観察位置までもってこれる。図中、円形の回転軌跡中、太線部分が横切っている部分である。
この実施の形態では、圧接部の一方が固定されており、ガイドベース部４７上にその受け側圧接部６９側でスペースが残るので、その部分を利用して液体供給口１１３を設計している。
【００５１】
以上、本発明の実施の形態について詳述してきたが、具体的構成は、これらの実施の形態に限られるものではなく、本発明の要旨を逸脱しない範囲における設計の変更などがあっても発明に含まれる。
例えば、培養容器は、蓋や容器側に温度検知手段の検知部を通せる機能が有れば、蓋で閉鎖するものも使用できる。
また、培養容器は、ガイドベース部４７の開口部４９の形状を変えることで種々のものに対応でき、上記した以外にも、例えば、２つ以上のディッシュを並列して装着するように構成することもできる。
なお、容器用アタッチメント４５は常に使用しなければならないものではなく、ウェルプレートのように大きなものは顕微鏡観察用装置１の収容ユニット３に直に装着することになる。
【産業上の利用可能性】
【００５２】
本発明の顕微鏡観察用培養装置は、顕微鏡の附属品として利用できる。
【符号の説明】
【００５３】
１…顕微鏡観察用培養装置      ３…収容ユニット      ５…本体部
７…上端側開口      ９…下面側開口
１１…（下面側開口の）内方フランジ      １３…アダプター
１５…（アダプターの）下端側開口
１７…（下端側開口の）内方フランジ      １９…押えバネ
２１…水槽      ２３…水供給用ホース      ２５…ガス供給用ホース
２７…温度検知手段      ２９…（温度検知手段の）熱電対型検知部
３１…検知部ホルダー      ３３…押えネジ
３５…灌流用ホースの取付用ホルダー      ３７…蓋体
３９…（蓋体の）枠体      ４１…（蓋体の）透光部      ４３…電気コード
４５…容器用アタッチメント      ４７…ガイドベース部
４９…（ガイドベース部の）開口部      ５１…（開口部の）段差部
５３…（段差部の）凹部      ５５…取付用凹部      ５７…ネジ孔
５９…取付用凹部      ６１…貫通孔      ６３…（貫通孔の）内方フランジ
６５…固定孔    ６７…マグネット
６９…受け側圧接部      ７１…貫通孔      ７３…雄ネジ
７５…圧接面      ７７…シリコーンシート
７９…押え側圧接部      ８１…本体部      ８３…押え部
８５…圧接面      ８７…摘み部      ８９…ネジ孔      ９１…雄ネジ
９３…（雄ネジの）頭部      ９３Ａ，Ｂ…（頭部の）段差面
９５…固定部      ９７…（固定部の）囲み部      ９９…プランジャ保持部
１０１…コイルバネ      １０３…プランジャ      １０５…ネジ孔
１０７…雄ネジ      １０９…水槽部
１１１…容器用アタッチメント      １１３…液体供給口
１１５…段差部      １１７…蓋体      １１９…摘み部
Ｓ…スライドガラスプレート    ａ…ベース部      ｂ…側部
ｃ…段差部      ｄ…フラップ      ｗ…ウェル
【図１】
2014095786.tif 000005
【図２】
2014095786.tif 000006
【図３】
2014095786.tif 000007
【図４】
2014095786.tif 000008
【図５】
2014095786.tif 000009
【図６】
2014095786.tif 000010
【図７】
2014095786.tif 000011
【図８】
2014095786.tif 000012
【図９】
2014095786.tif 000013
【図１０】
2014095786.tif 000014
【図１１】
2014095786.tif 000015
【図１２】
2014095786.tif 000016
【図１３】
2014095786.tif 000017
【図１４】
2014095786.tif 000018
【図１５】
2014095786.tif 000019
【図１６】
2014095786.tif 000020
【図１７】
2014095786.tif 000021
【図１８】
2014095786.tif 000022
【図１９】
2014095786.tif 000023
【図２０】
2014095786.tif 000024
【図２１】
2014095786.tif 000025